(57)【要約】　　【課題】　勾配方向の異なる二つの防水下地面が交わることにより形成される隅棟部および大棟部の防水下地部を容易に形成できるようにした防水下地構造を提供する。　　【解決手段】　屋根の中央部分が水上側の最上端をなし、この中央部分から周囲の軒先に向かって桁側の二方向と妻側の二方向にそれぞれ下り勾配をなす防水下地面１と２、防水下地面３と４をそれぞれ形成する。防水下地面１と３、防水下地面２と３、防水下地面２と４、そして防水下地面１と４とがそれぞれ交わることで形成される隅棟部６、７、８および９の防水下地部は、三角勾配板１２を複数組み合わせながら敷きつめて形成する。防水下地面１と２が交わることにより水平に形成される大棟部５の防水下地部を平板からなる防水下地材を複数敷きつめて形成する。【選択図】　　　　　　　図１
2004036385.tif 000002
【特許請求の範囲】
【請求項１】
　水勾配を有する防水層の防水下地構造であって、上面が一辺からこれに対向する他辺に向かって下り勾配の勾配面をなす平面正方形の勾配板を、複数敷き詰めて互いに異なる方向に傾斜する防水下地面をそれぞれ形成し、この二つの防水下地面が交わることにより傾斜して形成される防水下地部を、上面が一辺からこれに対向する頂点に向かって下り勾配の勾配面をなす防水下地材と、上面が一頂点からこれに対向する一辺に向かって下り勾配の勾配面をなす防水下地材を複数組み合わせながら敷きつめて形成し、かつ前記二つの防水下地面が交わることにより水平に形成される大棟部の防水下地部を平板からなる防水下地材を複数敷きつめて形成してなることを特徴とする防水下地構造。
【発明の詳細な説明】
【技術分野】
【０００１】
　この発明は水勾配を有する防水層の防水下地構造に関するものである。
【背景技術】
【０００２】
　一般に、屋上庭園などとして利用できるようにした建物の屋上を始め、ベランダやバルコニーの床、あるいは洗車場やプールサイドの床には防水層が形成され、また表面に排水や集水のために１／５０〜１／２００程度のきわめて緩い水勾配が付けられている。
【０００３】
　このような屋根や床では、一端を水上側の最上端とし、この最上端側から他端側に傾斜する片流れの水勾配が付けられたり（片流れ形式）、特に面積が広いときは例えば図７と図８に図示するように中央部分を水上側の最上端とし、この中央部分から二方向（切り妻形式）または四方向（寄せ棟形式）に傾斜する水勾配が付けられている。
【０００４】
　また、その施工方法としては、例えば図１０に図示するように、水平に構築されたスラブ躯体３０の上に上面が一端側からこれに対向する他端側に傾斜する勾配面ａをなす、例えば図９（ａ）に図示するような勾配板３１を複数、勾配面ａが水上側から水下側へ下り勾配で連続するように、勾配板３１の下に平板３２を敷き込む等して適当に嵩上げしながら敷き詰めて防水下地３３を形成し、この防水下地３３の上にアスファルト防水やシート防水などによる防水層が形成されている。
【０００５】
　しかし、防水下地３３を前述するような片流れ形式や切り妻形式とした場合、例えば図７（ｂ）に図示するように防水下地３３の妻側に段差Ｈができて勾配面の周囲が納まり付かない等の理由から、防水下地３３の妻側部分と桁側部分の先端部分の防水下地はモルタル３４を充填して別に形成していた。
【０００６】
　このため、現場におけるモルタル工事が残存し、左官工によるモルタル工事や養生期間をさらに必要とする等の課題があった。
【０００７】
　また、図８に図示するような寄せ棟形式の防水下地とした場合には、二つの勾配面が交わることで形成される棟部（稜線部分）３５や谷部（谷線部分）３６には勾配板３１と別に形成した、例えば谷部３６にあっては図９（ｂ）あるいは（ｃ）、また隅棟部３５にあっては図９（ｄ）に図示するような二方向に傾斜する勾配面ａを持つ（稜線部分は丸い形状でもよい）勾配板３７を敷き詰める必要があるため、勾配板の種類が増えて施工が複雑になるだけでなく、勾配板の製作が形状的に面倒でコスト高を免れない等の課題があった。
【特許文献１】特開平０４−６００４７号公報
【発明の開示】
【発明が解決しようとする課題】
【０００８】
　しかし、防水下地３３を前述するような片流れ形式や切り妻形式とした場合、例えば図７（ｂ）に図示するように防水下地３３の妻側に段差Ｈができて勾配面の周囲が納まり付かない等の理由から、防水下地３３の妻側部分と桁側部分の先端部分の防水下地はモルタル３４を充填して別に形成していた。
【０００９】
　このため、現場におけるモルタル工事が残存し、左官工によるモルタル工事や養生期間をさらに必要とする等の課題があった。
【００１０】
　また、図８に図示するような寄せ棟形式の防水下地とした場合には、二つの勾配面が交わることで形成される棟部（稜線部分）３５や谷部（谷線部分）３６には勾配板３１と別に形成した、例えば谷部３６にあっては図９（ｂ）あるいは（ｃ）、また隅棟部３５にあっては図９（ｄ）に図示するような二方向に傾斜する勾配面ａを持つ（稜線部分は丸い形状でもよい）勾配板３７を敷き詰める必要があるため、勾配板の種類が増えて施工が複雑になるだけでなく、勾配板の製作が形状的に面倒でコスト高を免れない等の課題があった。
【課題を解決するための手段】
【００１１】
　請求項１記載の防水下地構造は、水勾配を有する防水層の防水下地構造であって、上面が一辺からこれに対向する他辺に向かって下り勾配の勾配面をなす平面正方形の勾配板を、複数敷き詰めて互いに異なる方向に傾斜する防水下地面をそれぞれ形成し、この二つの防水下地面が交わることにより傾斜して形成される防水下地部を、上面が一辺からこれに対向する頂点に向かって下り勾配の勾配面をなす防水下地材と、上面が一頂点からこれに対向する一辺に向かって下り勾配の勾配面をなす防水下地材を複数組み合わせながら敷きつめて形成し、かつ前記二つの防水下地面が交わることにより水平に形成される大棟部の防水下地部を平板からなる防水下地材を複数敷きつめて形成してなることを特徴とするものであり、この場合の二つの防水下地面が交わることにより傾斜して形成される防水下地部は、隅棟部と谷部の防水下地部をいう。
【００１２】
　また、上面が一辺からこれに対向する頂点に向かって下り勾配の勾配面をなす防水下地材と、上面が一頂点からこれに対向する一辺に向かって下り勾配の勾配面をなす防水下地材は、上面が一辺からこれに対向する他辺に向かって下り勾配の勾配面をなす平面正方形の勾配板を対角二等分割することにより形成することができる。
【発明の効果】
【００１３】
　防水下地材として平面正方形の勾配板を複数敷きつめて互いに異なる方向に傾斜して形成される二つの防水下地面が交わる隅棟部や谷部の防水下地部は、特に上面が一辺からこれに対向する他辺に向かって下り勾配の勾配面をなす平面正方形の勾配板を対角二等分割して形成された、上面が一辺からこれに対向する頂点に向かって下り勾配の勾配面をなす防水下地材と、上面が一頂点からこれに対向する一辺に向かって下り勾配の勾配面をなす防水下地材を複数、隅棟部と谷部の形状に添うようにそれぞれ組み合わせながら設置することにより容易に形成できる。
【００１４】
　したがって、隅棟部や谷部の防水下地材として専用のものを特別に製作する必要がなく、大幅なコストダウンが図れる。
【００１５】
　また、防水下地材の種類が少なく、きわめて効率的に防水下地を形成することができるだけでなく、少ない種類の防水下地材を使って図１（ａ）に図示するような寄せ棟形式の防水下地や図４に図示するような谷部を有する寄せ棟形式の防水下地も容易に形成できる。
【００１６】
　また、現場施工を完全乾式とすることができるので、現場における左官工事、養生などが不要となり、工期の大幅な短縮化が可能になる。
【００１７】
　さらに、隅棟部の防水下地材は、上面が一辺からこれに対向する頂点に向かって下り勾配の勾配面をなす平面三角形状に形成され、また谷部の防水下地材は、上面が一頂点からこれに対向する一辺に向かって下り勾配の勾配面をなす平面三角形状に形成されているので、いずれも上面が一辺からこれに対向する他辺に向かって下り勾配の勾配面をなす平面正方形の勾配板を、対角二等分割して容易に形成できる。また、大棟部を平坦に形成することで、切り使いによる残材を少なくし、かつ現場における切断加工などの施工手間を大幅に省力できる。
【発明を実施するための最良の形態】
【００１８】
　図１と図２は、平面矩形状をなす陸屋根の防水下地構造の一例を示し、図において、屋上防水の防水下地として寄せ棟形の防水下地、すなわち屋根の中央部分が水上側の最上端をなし、この中央部分から周囲の軒先に向かって桁側の二方向と妻側の二方向にそれぞれ下り勾配をなす防水下地面１と２、防水下地面３と４がそれぞれ形成されている。
【００１９】
　これに伴って、防水下地面１と２とが交わることで形成される稜線部分が大棟部５をなし、防水下地面１と３、防水下地面２と３、防水下地面２と４、そして防水下地面１と４とがそれぞれ交わることで形成される稜線部分がそれぞれ、隅棟部６、隅棟部７、隅棟部８、そして隅棟部９になっている。
【００２０】
　大棟部５は桁行き方向に一定長さ水平に連続し、隅棟部６，７，８および９はそれぞれ、大棟部５の端部から大棟部５の桁行き方向に対して略４５°斜め方向の二方向にそれぞれ連続し、かつ軒先に向かって下り傾斜し、さらにその先端は屋根の軒先まで達している。
【００２１】
　桁側の防水下地面１と２および妻側の防水下地面３と４はともに、防水下地材として、例えば図２（ａ）に図示するような四角勾配板１０と四角平板１１を複数、敷きつめて形成されている。
【００２２】
　また、隅棟部６，７，８および９の防水下地部は、防水下地材として、例えば図２（ｂ）に図示するような三角勾配板１２と四角平板１１を複数敷き詰めて形成されている。
【００２３】
　四角勾配板１０と四角平板１１はともに同じ大きさの平面正方形状に形成され、特に四角勾配板１０の上面には一辺１０ａ側からこれに対向する他辺１０ｂ側に向かって下り勾配の勾配面ａが全面にわたって形成されている。
【００２４】
　三角勾配板１２は平面三角形状に形成され、三角勾配板１２の上面には一頂点１２ａ側からこれに対向する一辺１２ｂ側に向かって下り勾配の勾配面ａが全面にわたって形成されている。
【００２５】
　なお、三角勾配板１２は例えば図３に図示するように四角勾配板１０を対角線に沿って二等分割する等して形成される。
【００２６】
　また、四角勾配板１０、四角平板１１および三角勾配板１２の素材としては特に限定されるものではないが、ポリスチレン、ポリエチレン等の合成樹脂の発泡体、ガラス繊維などを主材とする成形体、あるいは真珠岩などの無機質発泡体などは高い断熱機能を有することから、防水下地の施工と同時に断熱施工も行うことができるので好適である。
【００２７】
　こうして形成された勾配板と平板のうち、四角勾配板１０は、水平に構築された屋上スラブ躯体１４の上に一辺１０ａ側を水上側にして屋根の外周部から中央に向かって順に敷きつめられている。
【００２８】
　また、各四角勾配板１０の勾配面ａが屋根の中央から軒先に向かって下り勾配で連続するように、四角勾配板１０の下に四角平板１１が必要な枚数だけ敷き込まれることにより、四角勾配板１０が場所に応じて適当に嵩上げされている。こうして、隅棟部６〜９の部分を除いた桁側と妻側の各防水下地面１，２，３および４がそれぞれ形成されている。
【００２９】
　隅棟部６，７，８および９の部分には２枚の勾配板１２が、一頂点１２ａを水上側にし、かつ双方の斜辺１２ｃを隅棟の上でそれぞれ突き合わせながら、各隅棟の軒先部分から大棟５の端部に向かって順に敷きつめられている。
【００３０】
　また、各三角勾配板１２の勾配面ａが大棟５の端部から各隅棟の軒先部分に向かって下り傾斜で連続するように、三角勾配板１２の下に四角平板１１が必要な枚数だけ敷き込まれることにより、三角勾配板１２が場所に応じて適当に嵩上げされている。こうして、隅棟部６〜９の防水下地部が形成されている。
【００３１】
　なお、四角平板１１は、単に四角勾配板１０と三角勾配板１２を嵩上げするために敷き込まれるものであるから、形状や大きさは特に限定されるものではない。
【００３２】
　こうして形成された桁側と妻側の防水下地面１，２，３および４と隅棟部６〜９の防水下地部の上にアスファルト防水やシート防水などによる防水層が形成されている。
【００３３】
　なお、図１（ｂ）、図７（ｂ）および（ｃ）、および図１０に図示する防水下地は、理解をし易くするために実際の勾配よりも急勾配に図示してある。
【００３４】
　図４は、特に陸屋根の平面形状がＬ字形状をなすことから、上述の防水下地面１〜４と同様にして形成された防水下地面１５と１６とが交わることで、屋根の棟部から軒先に向かって下り勾配で連続する溝状の谷部１７を有する場合で、このような谷部１７にあっては、防水下地材として、例えば図５に図示するような三角勾配板１８と四角平板１１を敷きつめて形成されている。
【００３５】
　三角勾配板１８は平面三角形状に形成され、特に上面に一辺１８ａ側からこれに対向する頂点１８ｂに向かって下り勾配の勾配面ａが全面にわたって形成されている。また、三角勾配板１８は例えば勾配板１０を対角線に沿って二等分割する等して形成されている。
【００３６】
　こうして形成された三角勾配板１８は２枚ずつ、谷部１７の部分に一辺１８ａを水上側にし、かつ双方の斜辺１８ｃを谷の底でそれぞれ突き合わせながら、軒先部分から棟部に向かって順に敷き詰められている。
【００３７】
　また、各三角勾配板１８の勾配面ａが谷部１７の軒先部分に向かって下り勾配で連続するように、三角勾配板１８の下に四角平板１１が必要な枚数だけ敷き込まれることにより、三角勾配板１８が場所に応じて適当に嵩上げされている。こうして、谷部１７の防水下地部が形成され、その上にアスファルト防水やシート防水などによる防水層が形成されている。
【００３８】
　図６は特に、水平に連続する大棟部５の防水下地部を、特に三角勾配板を使用せず、四角平板をそのまま、または適当な大きさに切り詰めたものを適当に組み合わせながら敷きつめることにより、一定範囲にわたって平坦に形成した例を示したものである。
【００３９】
　このように形成することで、棟どうし、あるいは棟部と谷部が複雑に交わる部分の防水下地を容易に施工することができ、また防水下地材としての四角板を切断加工したことで発生する残材を極力少なくすることができ、防水下地材の無駄をなくすることができる。
【００４０】
　なお図では、屋上防水の防水下地構造について説明したが、ベランダやバルコニーの床、あるいは洗車場やプールサイドの防水下地面も同様に構成される。
【産業上の利用可能性】
【００４１】
　この発明は、屋上庭園などとして利用できるようにした陸屋根、ベランダやバルコニーの床、あるいは洗車場やプールサイド等のような排水を必要とする場所の防水工事に利用される。
【図面の簡単な説明】
【００４２】
【図１】寄せ棟形式に形成された屋上防水の防水下地を示し、（ａ）はその平面図、（ｂ）は（ａ）におけるイ−イ線断面図である。
【図２】防水下地材を示し、（ａ）は四角勾配板と四角平板の斜視図、（ｂ）は三角勾配板同士の組合せと四角平板の斜視図である。
【図３】隅棟部に設置される三角勾配板の組み合わせ例を示す斜視図である。
【図４】寄せ棟形式に形成された屋上防水の防水下地を示す平面図である。
【図５】谷部に設置される三角勾配板の組み合わせ例を示す斜視図である。
【図６】寄せ棟形式に形成され、かつ大棟部が平板からなる防水下地材で形成された屋上防水の防水下地の平面図である。
【図７】切り妻形式にモルタル下地を併用して形成された従来の屋上防水の防水下地を示し、（ａ）はその平面図、（ｂ）はその桁側ロ−ロ線断面図、（ｃ）はその妻側ハ−ハ線断面図である。
【図８】寄せ棟形式に形成された従来の屋上防水の防水下地を示す平面図である。
【図９】（ａ）は勾配板と平板の一例を示す斜視図、（ｂ），（ｃ）は谷部に設置される勾配板の従来例を示す斜視図、（ｄ）は隅部に設置される勾配板の従来例を示す斜視図である。
【図１０】防水下地構造の従来例を示し、例えば図７（ａ）におけるイ−イ線断面図である。
【符号の説明】
【００４３】
　ａ　勾配面
　１　防水下地面
　２　防水下地面
　３　防水下地面
　４　防水下地面
　５　大棟部
　６　隅棟部
　７　隅棟部
　８　隅棟部
　９　隅棟部
１０　四角勾配板（防水下地材）
10ａ　一辺
10ｂ　他辺
１１　四角平板（防水下地材）
１２　三角勾配板（防水下地材）
12ａ　一頂点
12ｂ　一辺
12ｃ　斜辺
１４　スラブ躯体
１５　防水下地面
１６　防水下地面
１７　谷部
１８　三角勾配板（防水下地材）
18ａ　一辺
18ｂ　頂点
18ｃ　斜辺
【図１】
2004036385.tif 000003
【図２】
2004036385.tif 000004
【図３】
2004036385.tif 000005
【図４】
2004036385.tif 000006
【図５】
2004036385.tif 000007
【図６】
2004036385.tif 000008
【図７】
2004036385.tif 000009
【図８】
2004036385.tif 000010
【図９】
2004036385.tif 000011
【図１０】
2004036385.tif 000012